(57)【要約】【課題】安価なアナログ伝送方式のインターホンシステムにおいて、使用者の利便性を良くしたアナログ伝送方式インターホンシステムを提供することにある。【解決手段】任意の２台、例えば通話端末２２，２３間で通話しているときに、例えば通話端末２１から通話端末２２に呼び出しを行うと、通話端末２１は他の通話端末２２，２３間で通話中であることから、当該通話端末２１から時刻データを含む呼び出し情報を制御信号として通話端末２４へ送る。通話端末２４ではこの制御信号を受け取るとモニタ装置４のモニタ画面に呼び出し側の通話端末２１から呼び出しがあったことを示すメッセージを表示させるととともに呼び出し時刻を表示する。【選択図】図１
2004297377.tif 000002
【特許請求の範囲】
【請求項１】
住戸玄関に設置される撮像カメラ付きのドアホン子器と、屋内に設置されたモニタ装置付きの複数の通話端末とが伝送線路により接続され、該伝送線路を介してアナログの映像信号、通話信号、制御信号が伝送されるアナログ伝送インターホンシステムにおいて、任意の２台の通話端末間で通話中に、通話中でない一の通話端末から、通話中でない他の通話端末へ呼び出しを行ったときに呼び出しを示す制御信号を受け取った被呼び出し側の他の通話端末のモニタ装置に呼び出し側の一の通話端末を示す情報を表示させる手段を具備していることを特徴とするアナログ伝送インターホンシステム。
【請求項２】
上記通話端末の何れか一台に現在時刻を計時するリアルタイムクロック発生部を設け、該リアルタイムクロック部の時刻データを上記被呼び出し側の他の通話端末に与えて上記情報とともにモニタ装置で表示させることを特徴とする請求項１記載のアナログ伝送インターホンシステム。
【請求項３】
通話中であった２台の通話端末での通話が終了した時点で、上記被呼び出し側の他の通話端末に制御信号で通話終了の情報を伝送する手段を具備し、上記被呼び出し側の他の通話端末には通話終了の情報を受け取ると音によって通話終了を知らせる手段を備えていることを特徴とする請求項１又は２記載のアナログ伝送インターホンシステム。
【請求項４】
通話中であった２台の通話端末での通話が終了した時点で、上記呼び出し側の一の通話端末に制御信号で通話終了の情報を伝送する手段を具備し、上記呼び出し側の一の通話端末には通話終了の情報を受け取ると音によって通話終了を知らせる手段を備えていることを特徴とする請求項１乃至３の何れか記載のアナログ伝送インターホンシステム。
【発明の詳細な説明】
【０００１】
【発明の属する技術分野】
本発明は、家庭内における来客応答や、室内間連絡を行うインターホンシステムに関するものである。
【０００２】
【従来の技術】
従来の通話／映像路を１系統しか持たないアナログ伝送インターホンシステムにおいて、任意の２台の通話端末間で通話中の場合、他の通話端末同士の通話が確立できないため、通話中に呼び出しを行った通話端末に対して音や文字で知らせる方法が採用されていた。
【０００３】
図９は上記の従来例のシステム構成例を示しており、従来例では、住戸玄関に設置される撮像カメラ付のドアホン子器１と、室内に設置されるモニタ装置４を備えた端末を夫々構成する通話端末２１…とからなり、ドアホン子器１と通話端末２１…とは伝送線路３を介して接続されている。この場合伝送線路３に流れている信号はアナログ信号であり、例えば映像信号、通話信号、制御（コマンド）信号が例えば周波数分割で多重伝送される。
【０００４】
ここで例えば通話端末２２と通話端末２３が内線通話中に、通話端末２１が通話端末２４を呼び出した場合、通話端末２４には呼び出されたという情報は伝わらず、通話端末２１側では、音とモニタ装置４の画面での表示で他の通話端末が使用中で使用できない旨を伝えるものである。
【０００５】
同様な従来例には特許文献１に記載されたものがある。
【０００６】
【特許文献１】
特開２００１−２３８２０３号公報（図３〜図５参照）
【０００７】
【発明が解決しようとする課題】
上述に従来例では、単に呼び出しを行った通話端末において、通話中であることを音（例えばプップッ…）やメッセージ（例えば「使用中です。」）で知らせるだけであったため、新たに通話を始めようとする通話端末から仮呼び出しをかけても、通話相手として指定された側の通話端末へ、通話要求はできなかった。
【０００８】
本発明は、上記の点に鑑みて為されたもので、その目的とすることころは、安価なアナログ伝送方式のインターホンシステムにおいて、使用者の利便性を良くしたアナログ伝送方式インターホンシステムを提供することにある。
【０００９】
【課題を解決するための手段】
上記目的を達成するために、請求項１の発明では、住戸玄関に設置される撮像カメラ付きのドアホン子器と、屋内に設置されたモニタ装置付きの複数の通話端末とが伝送線路により接続され、該伝送線路を介してアナログの映像信号、通話信号、制御信号が伝送されるアナログ伝送インターホンシステムにおいて、任意の２台の通話端末間で通話中に、通話中でない一の通話端末から、通話中でない他の通話端末へ呼び出しを行ったときに呼び出しを示す制御信号を受け取った被呼び出し側の他の通話端末のモニタ装置に呼び出し側の一の通話端末を示す情報を表示させる手段を具備していることを特徴とする。
【００１０】
請求項２の発明では、請求項１の発明において、上記通話端末の何れか一台に現在時刻を計時するリアルタイムクロック発生部を設け、該リアルタイムクロック部の時刻データを上記被呼び出し側の他の通話端末に与えて上記情報とともにモニタ装置で表示させることを特徴とする。
【００１１】
請求項３の発明では、請求項１又は２の発明において、通話中であった２台の通話端末での通話が終了した時点で、上記被呼び出し側の他の通話端末に制御信号で通話終了の情報を伝送する手段を具備し、上記被呼び出し側の他の通話端末には通話終了の情報を受け取ると音によって通話終了を知らせる手段を備えていることを特徴とする。
【００１２】
請求項４の発明では、請求項１乃至３の何れかの発明において、通話中であった２台の通話端末での通話が終了した時点で、上記呼び出し側の一の通話端末に制御信号で通話終了の情報を伝送する手段を具備し、上記呼び出し側の一の通話端末には通話終了の情報を受け取ると音によって通話終了を知らせる手段を備えていることを特徴とする。
【００１３】
【発明の実施の形態】
以下本発明を一実施形態により説明する。
【００１４】
図１は本実施形態の基本的なシステム図を示しており、本実施形態も基本的には図９に示す従来例と同様に、住戸玄関に設置される撮像カメラ付きのドアホン子器１と、室内に設置されるモニタ装置４を備えた通話端末２１…とからなり、ドアホン子器１と通話端末２１…とは伝送線路３を介して接続されている。
【００１５】
伝送線路３に流れている信号はアナログ信号であり、従来例と同様に映像信号、通話信号、制御（コマンド）信号が例えば周波数分割で多重伝送するか、通話／映像信号をさらに多重化したり、或いは伝送線路を別途設けることにより、通話路を複数設ける構成としても良い。
【００１６】
ここで通話端末２１はシステムの親機としての機能を備え、その他の通話端末２２…は通話端末２１に従属する副親機としての機能を備えている。
【００１７】
図２は通話端末２１の構成を、図３は通話端末２２…の構成を夫々示す。
【００１８】
これらの構成を次に説明する。
【００１９】
図２に示す通話端末２１はドアホン子器１からの映像信号、呼び出し信号を取り込むとともに、双方向の通話信号をドアホン子器１との間で送受信するためのドアホン子器インターフェース部５と、ドアホン子器１の撮像カメラで捉え来訪者の映像信号を復調してモニタ装置４に映し出させる映像復調部６と、モニタ装置４に上記文字やグラフィックを表示させるための文字パターンやグラフィックデータを生成してモニタ装置４に表示させるためのコントローラであるＯＳＤ７と、後述する通話状態を示すグラフィックデータからなる画像データをアナログの映像信号に変換する画像処理部８と、上記ドアホン子器１からのアナログの映像信号や画像処理部８の上記映像信号を変調する映像変調部９と、制御信号の送受信と生成を行うための制御信号処理部１０と、マイク（図示せず）を通じた音声信号を処理して通話信号として出力する機能や他の通話端末２２…から通話信号として送られくる音声をスピーカ（図示せず）で再生したり、或いはドアホン子器１へ送り出す処理を行う機能を備えた通話処理部１１と、通話釦Ｂ１、後述する終了釦（図示せず）、呼び出し釦（図示せず）等の操作釦の操作信号の取り込みや発光ダイオード等の表示素子（図示せず）の制御、更には内蔵せる音声合成機能の制御や上記各部６〜１１の制御処理を行う制御部１３と、システムの時刻管理を制御部１３で行うためのリアルタイムクロック発生部１４と、伝送線路３に送り出す映像信号、制御信号、通話信号を上述のように周波数分割して送出する機能と、他の通話端末２２…から周波数分割で送られてくる通話信号、更には制御信号の分離を行って通話処理部１１，制御信号処理部１０へ送る機能を備えた内線伝送多重化／分離化回路１５と、モニタ装置４とで構成される。モニタ装置４は液晶表示器のようなモニタ表示部４ａと、モニタドライバ４ｂとで構成される。
【００２０】
一方図３に示す通話端末２２（２３…）は、他の通話端末２１、２３…やドアホン子器１との間でマイク（図示せず）、スピーカ（図示せず）を使用して通話を行うための通話信号の入出力処理を行う通話処理部１１’と、他の通話端末２１、２３…との間で制御信号を送受信するための制御信号処理部１０’と、伝送線路３へ制御信号及び音声信号を周波数多重で送出するための機能及び伝送線路３を通じて送られてくる映像信号、制御信号、通話信号を分離する機能を備えた内線伝送多重化／分離化回路１５’と、分離された映像信号を復調してモニタ装置４に表示させる映像復調部６’と、当該通話端末２２…のモニタ装置４で文字やグラフィックを表示させるための文字パターンやグラフィックデータを生成するコントローラたるＯＳＤ７’と、当該通話端末２２…の各部１１’、１０’、６’、７’の制御処理や通話釦Ｂ１、終了釦（図示せず）、呼び出し釦（図示せず）の操作信号の取り込みや発光ダイオード等の表示素子（図示せず）の制御、更に内蔵せる音声合成機能の制御を行う制御部１３’とで構成される。モニタ装置４は液晶表示器からなるモニタ表示部４ａと、モニタドライバ４ｂとで構成される。
【００２１】
而して今通話端末２２から呼び出し釦により通話端末２３を指定する呼び出し操作があると、通話端末２２では制御部１３’の制御の下で、制御信号処理部１２’から内線伝送多重化／分離化回路１５’と伝送線路３とを介して図４に示すように通話端末２２に呼び出し情報を制御信号として通話端末２１へ送信する（Ｓ１）。また通話端末２３に対して呼び出し信号を制御信号として送信する（Ｓ１’）。通話端末２３では、呼び出し信号が内線伝送多重化／分離化回路１５’を介して制御信号処理部１２’に取り込まれると制御部１３’の制御の下で呼び出し音をスピーカより出力する。一方通話端末２１では制御部１３の制御の下で、画像処理部８から通話端末２２から通話端末２３への呼び出し方向を示すグラフィックデータからなるアナログの映像信号に出力させ、この映像信号を更に映像変調部９により変調した後内線伝送多重化／分離化回路１５から伝送線路３上に送信する（Ｓ２）。この映像信号は呼び出し側と被呼び出し側の通話端末２２，２３では制御部１３’の制御の下で、内線伝送多重化／分離化回路１５を介して映像復調部６’に取り込まれて復調され、夫々のモニタ装置４のモニタ表示部４ａに表示される（Ｓ３）。
【００２２】
そして通話端末２３で通話釦Ｂ１が押し操作されると制御部１３’の制御の下で制御信号処理部１２’から内線伝送多重化／分離化回路１５’と伝送線路３とを介して応答信号を制御信号として通話端末２２へ送信する（Ｓ４）。通話端末２２はこの応答信号に制御部１３’の制御の下で制御信号処理部１２’から内線伝送多重化／分離化回路１５’と伝送線路３とを介して応答情報を制御信号として通話端末２１に送信する（Ｓ４’）。
【００２３】
これに対応して通話端末２１では制御部１３の制御の下で画像処理部８から通話端末２２と通話端末２３との間で通話中であることを示すグラフィックデータによる映像信号を出力させ、この映像信号を上述と同様に映像変調部９の働きより変調した後内線伝送多重化／分離化回路１５から伝送線路３を介して通話端末２２と通話端末２３宛に送信する（Ｓ５）。この映像信号は呼び出し側と被呼び出し側の通話端末２２，２３の制御部１３’の制御の下で、夫々の映像復調部６’に夫々取り込まれて復調され、夫々のモニタ装置４のモニタ表示部４ａで表示される（Ｓ６）。これ以降両通話端末２２，２３間で通話中となる（Ｓ７）。
【００２４】
さて上記の通話中において、例えば通話端末２１から非通話中の通話端末２４に呼び出しを行うと、通話端末２１の制御部１３は他の通話端末２２，２３間で通話中であることから、当該通話端末２１には「使用中です」というメッセージの文字列の画像データをＯＳＤ７で生成してモニタ装置４のモニタ画面に表示させる（Ｓ８）とともに音（例えばプップッ…）をスピーカより出力させる。
【００２５】
また通話端末２１から制御部１３の制御の下で、リアルタイムクロック発生部１４でカウントしている現在の時刻データを読み出して制御信号処理部１２から制御信号として内線伝送多重化／分離化回路１５と伝送線路３とを介して呼び出し先の通話端末２４宛に送信し（Ｓ９）、また呼び出し側の通話端末２１の情報も制御信号として送信する。
【００２６】
これにより通話端末２４では制御部１３’の制御の下で通話端末２１から呼び出しがあったことを示すメッセージ（例えばリビングから呼出しがありました」という文字列）及び時刻データに基づく時刻表示文字の画像データをＯＳＤ７’で生成させて、モニタ装置４のモニタ表示部４ａに表示させる（Ｓ１０）。これにより被呼び出し側の通話端末２４ではどこから、何時呼び出されたかが判り、また呼び出し側の通話端末２１側では現在他の通話端末が通話中であることが判ることになる。
【００２７】
上述の通話端末２２，２３間での通話中における呼び出し動作を図５に示す。
【００２８】
尚時刻表示は図６に示すように通話端末２１にリアルタイムクロック発生部１４を設けていない場合には行われない。
【００２９】
さて上記の表示から一定時間経過すると、通話端末２１，２４では制御部１３，１３’の制御の下でモニタ画面の表示を夫々待機状態の画面に戻す（Ｓ１２）。
【００３０】
次に通話中であった通話端末２２，２３において、例えば通話端末２３側で終了釦（図示せず）が操作されると、この終了信号が制御信号として通話端末２２に送られる（Ｓ１２）。同時に通話終了情報が通話端末２３から通話端末２４へ制御信号として送られる（Ｓ１３）。一方上記終了信号に呼応して通話端末２２では制御部１３’の制御の下で通話終了情報が制御信号として通話端末２１へ送られる（Ｓ１３’）。
【００３１】
そして通話端末２１では制御部１３の制御の下で、ＯＳＤ７により例えば「通話が終了しました」というメッセージの文字列の画像データを生成させて、モニタ装置４のモニタ表示部４ａに表示させる（Ｓ１４）とともに、制御部１３内に備わっている音声合成機能によって「通話が終了しました」という音声をスピーカ（図示せず）より出力させる（Ｓ１５）。一方通話端末２４では制御部１３’の制御の下で、ＯＳＤ７’により例えば上述の「リビングから呼出しがありました」というメッセージの文字列の画像データと呼び出しがあった時刻を示す文字の画像データとを生成させて、モニタ装置４のモニタ表示部４ａに表示させる（１６）とともに、制御部１３’内に備わっている音声合成機能によって「通話が終了しました」という音声をスピーカ（図示せず）より出力させる（Ｓ１７）。図７はこの通話端末２２，２３間の通話が終了したときの状態を示す。
【００３２】
これにより通話端末２１，２４側で他の通話端末２２，２３での通話が終了したことを知ることができ、何れか一方から再呼び出しを行うことで、通話端末２１，２４で通話を開始すればよい。
【００３３】
尚上記実施形態では、通話端末２２，２３間の通話が終了したときに、通話端末２１，２４で夫々メッセージ表示と音声出力を行っているが、図８に示すように被呼び出し側の通話端末２４でのみメッセージ表示と音声出力を行うようにしても良く、上記実施形態には特に限定されるものではない。
【００３４】
【発明の効果】
請求項１の発明は、住戸玄関に設置される撮像カメラ付きのドアホン子器と、屋内に設置されたモニタ装置付きの複数の通話端末とが伝送線路により接続され、該伝送線路を介してアナログの映像信号、通話信号、制御信号が伝送されるアナログ伝送インターホンシステムにおいて、任意の２台の通話端末間で通話中に、通話中でない一の通話端末から、通話中でない他の通話端末へ呼び出しを行ったときに呼び出しを示す制御信号を受け取った被呼び出し側の他の通話端末のモニタ装置に呼び出し側の一の通話端末を示す情報を表示させる手段を具備しているので、安価なアナログ伝送方式のインターホンシステムにおいて、被呼び出し側の通話端末において呼び出されたという情報を把握することができ、通話ができなくとも、用件を聞きに行く等の対応が可能となり、使用者の利便性を良くしたアナログ伝送方式インターホンシステムを提供できるという効果がある。
【００３５】
請求項２の発明は、請求項１の発明において、上記通話端末の何れか一台に現在時刻を計時するリアルタイムクロック発生部を設け、該リアルタイムクロック部の時刻データを上記被呼び出し側の他の通話端末に与えて上記情報とともにモニタ装置で表示させるので、被呼び出し側の通話端末において呼び出されたという情報を把握できるだけでなく、呼び出された時刻を知ることができるという効果がある。
【００３６】
請求項３の発明は、請求項１又は２の発明において、通話中であった２台の通話端末での通話が終了した時点で、上記被呼び出し側の他の通話端末に制御信号で通話終了の情報を伝送する手段を具備し、上記被呼び出し側の他の通話端末には通話終了の情報を受け取ると音によって通話終了を知らせる手段を備えているので、この通話終了に呼応して被呼び出し側通話端末から折り返し、呼び出した側の通話端末を呼び出すことができるという効果がある。
【００３７】
請求項４の発明は、請求項１乃至３の何れかの発明において、通話中であった２台の通話端末での通話が終了した時点で、上記呼び出し側の一の通話端末に制御信号で通話終了の情報を伝送する手段を具備し、上記呼び出し側の一の通話端末には通話終了の情報を受け取ると音によって通話終了を知らせる手段を備えているので、この通話終了に呼応して呼び出し側通話端末から折り返し、被呼び出した側の通話端末を呼び出すことができるという効果がある。
【図面の簡単な説明】
【図１】本発明の一実施形態の基本システム構成図である。
【図２】同上の親機となる通話端末の回路構成図である。
【図３】同上の副親機となる通話端末の回路構成図である。
【図４】同上の状態遷移説明用シーケンス図である。
【図５】同上の通話中における呼び出し時の動作状態説明図である。
【図６】同上の通話中における呼び出し時の別の例の動作状態説明図である。
【図７】同上の通話終了時における動作状態説明図である。
【図８】同上の通話終了時における動作状態説明図である。
【図９】従来例の通話中における呼び出し時の動作状態説明図である。
【符号の説明】
１  ドアホン子器
２１〜２４  通話端末
３  伝送線路
４  モニタ装置
４ａ  モニタ表示部
Ｂ１  通話釦
【図１】
2004297377.tif 000003
【図２】
2004297377.tif 000004
【図３】
2004297377.tif 000005
【図４】
2004297377.tif 000006
【図５】
2004297377.tif 000007
【図６】
2004297377.tif 000008
【図７】
2004297377.tif 000009
【図８】
2004297377.tif 000010
【図９】
2004297377.tif 000011